(57)【要約】【課題】安価で、容易にコロナ発生の有無がわかるコロナ検出装置を装着した電気機器を提供する。【解決手段】三相母線の導体からなる充電部１を支持する絶縁板２が接地金属３に取付けられた電気機器において、窒素酸化物と反応して発色する化学物質からなるコロナ検出体５を絶縁板２のコロナ発生部位に設けることにより、容易にコロナ発生の有無が判断できる。これにより、電気機器を停止したり、電気機器に触れたりすることなく、色相の変化を確認するだけで、安価で、容易にコロナ発生の有無を確認することができる。【選択図】  図１
2004271417.tif 000002
【特許請求の範囲】
【請求項１】
充電部を支持する絶縁物を有する電気機器において、コロナ放電により生成される窒素酸化物と反応して発色する化学物質を含むコロナ検出装置を前記絶縁物に組み込んだことを特徴とする電気機器。
【請求項２】
充電部と接地金属との間に設けられた碍子を構成する絶縁物を有する電気機器において、前記充電部と前記絶縁物との間、および前記絶縁物と前記接地金属との間の少なくとも一方に、コロナ放電により生成される窒素酸化物と反応して発色する化学物質を含むコロナ検出装置を組み込んだことを特徴とする電気機器。
【請求項３】
一端の接続部が導体に接続されるケーブルと、このケーブルの所定箇所を支持するケーブルブラケットとを有する電気機器において、前記ケーブルの外周の、前記接続部と前記ケーブルブラケットとの中間部分に、コロナ放電により生成される窒素酸化物と反応して発色する化学物質を含むコロナ検出装置を組み込んだことを特徴とする電気機器。
【請求項４】
内部の空気を外部に排出する換気口を有する電気機器において、コロナ放電により生成される窒素酸化物と反応して発色する化学物質を含むコロナ検出装置を前記換気口に組み込んだことを特徴とする電気機器。
【発明の詳細な説明】
【０００１】
【発明の属する技術分野】
本発明は、配電・制御機器、開閉機器などの電気機器の運転中に発生する窒素酸化物や大気汚染中の窒素酸化物を検出するためのコロナ検出装置を装着した電気機器に関する。
【０００２】
【従来の技術】
従来の電気機器においては、ガスセンサによる検知、電圧位相情報やインピーダンス、電流量などを測定する方法、電磁波を測定する方法、放電に伴って発生する光を感知する方法などで、コロナ発生の確認を行ってきた。
【０００３】
例えば、高電圧機器に発生するコロナパルスを、デジタルオシログラムおよびパーソナルコンピュータを用いて観測し処理するものがある（例えば、特許文献１参照。）。
【０００４】
これらの問題点として、コロナ検出装置としての高額な装置本体が必要で、また、装置の設置場所が限定され、更に、他で生じるノイズの問題もあった。
【０００５】
【特許文献１】
特開２００２−２１４２７８号公報（第３頁、図１）
【０００６】
【発明が解決しようとする課題】
上述のように、従来の電気機器において、コロナを検出するには、コロナを検出するための装置が必要で購入費用が高く、設置場所やノイズの発生などが問題点であり、これらの問題点を解消することが課題であった。
【０００７】
本発明は従来の事情に対処して為されたものであり、安価で、容易にコロナ発生の有無がわかるコロナ検出装置を装着した電気機器を提供することを目的とする。
【０００８】
【課題を解決するための手段】
上記目的を達成するため、本発明は、充電部を支持する絶縁物を有する電気機器において、コロナ放電により生成される窒素酸化物と反応して発色する化学物質を含むコロナ検出装置を前記絶縁物に組み込んだことを特徴とする。
【０００９】
このような構成の本発明によれば、絶縁物に組み込まれたコロナ検出装置の化学物質の色の変化（化学物質の色相の変化）を検知することにより、容易にコロナを検知することができ、電気機器が動作中でも人が手を触れずして、例えば目視でも認識することが可能である。
【００１０】
更に、本発明は、充電部と接地金属との間に設けられた碍子を構成する絶縁物を有する電気機器においては、充電部と絶縁物との間、および絶縁物と接地金属との間の少なくとも一方に、また、一端の接続部が導体に接続されるケーブルとこのケーブルの所定箇所を支持するケーブルブラケットとを有する電気機器においては、ケーブルの外周の、接続部とケーブルブラケットとの中間部分に、また、内部の空気を外部に排出する換気口を有する電気機器においては、換気口に、それぞれ、コロナ放電により生成される窒素酸化物と反応して発色する化学物質を含むコロナ検出装置を組み込むこともできる。
【００１１】
このような構成とすれば、組み込まれたコロナ検出装置の化学物質の色の変化（化学物質の色相の変化）を検知することにより、容易にコロナを検知することができ、電気機器が動作中でも人が手を触れずして、例えば目視でも認識することが可能である。
【００１２】
【発明の実施の形態】
以下、図面を参照して本発明の実施形態について詳細に説明する。なお、以下の各実施形態において、各電気機器の所定部位に組み込まれるコロナ検出装置を構成するコロナ検出体、すなわちコロナ放電により生成される窒素酸化物と反応して発色する化学物質としては、例えばベンゼン核を持つ物質のアミノ酸それ自体、あるいはそれらを含むたんぱく質を用いる。このような化学物質と窒素酸化物との反応は、キサントプロテイン反応、キサントポリアミン反応と呼ばれ、黄色の呈色反応を示す。従って、反応生成物が黄色を呈したことにより、コロナが発生したことが一目で認識できる。
【００１３】
（第１の実施形態）
図１は、本発明の第１の実施形態に係る電気機器の構成を示す図である。
【００１４】
同図に示すように、本実施形態の電気機器は、三相母線の導体からなる充電部１が、その上下に設けられた一対の絶縁板２により支持されており、これらの絶縁板２は、その両端がそれぞれ接地金属３に取付けられている。そして、これらの絶縁板２の複数の所定箇所に、コロナ検出装置となるコロナ検出体５が組み込まれて構成されている。すなわち、このコロナ検出体５は、例えばテープ状のものが、絶縁板２に巻き付けられている。
【００１５】
絶縁板２が長期にわたり汚損、吸湿すると、充電部１と絶縁板２の間または充電部１と接地金属３の間でコロナ４が発生するが、本実施形態の電気機器では、絶縁板２にコロナ放電により生成される窒素酸化物と反応して発色する化学物質からなるコロナ検出体５をコロナ発生部位に複数個装着しているので、目視にてコロナの発生の有無を判断することが可能である。
【００１６】
本実施形態におけるコロナ検出体の特徴は、同形状または類似形状の充電部と絶縁板の組み合わせであれば、コロナ発生部位全てに容易に装着可能なことである。
【００１７】
（第２の実施形態）
図２は、本発明の第２の実施形態に係る電気機器の構成を示す図である。
【００１８】
同図に示すように、本実施形態の電気機器は、母線の導体からなる充電部１と接地導体３との間に絶縁物からなる碍子６が設けられている。そして、充電部１と碍子６の間及び碍子６と接地金属３の間のそれぞれに、シート状のコロナ検出体５を挟み込んで構成されている。
【００１９】
碍子６の汚損が激しいと充電部１と接地金属３の間でコロナ４が発生するが、本実施形態では充電部１と碍子６の間及び碍子６と接地金属３の間のそれぞれにコロナ検出体５を挟み込む構成としているので、第１の実施形態の場合と同様に、目視にてコロナの発生の有無を判断することができる。
【００２０】
なお、充電部１と碍子６の間、碍子６と接地金属３の間のうちの、いずれか一方のみに、コロナ検出体５を挟み込む構成としてもよい。
【００２１】
（第３の実施形態）
図３は、本発明の第３の実施形態に係る電気機器の構成を示す図である。
【００２２】
同図に示すように、本実施形態の電気機器は、主回路ケーブル７の一端の接続部（充電部）８が導体に接続され、主回路ケーブル７の所定箇所がケーブルブラケット（接地金属部）９で支持されている。そして、主回路ケーブル７の外周の、接続部８とケーブルブラケット９との中間部分に、コロナ検出体５を組み込んで構成されている。すなわち、コロナ検出体５を、例えば筒状のものとし、これに主回路ケーブル７を通して、接続部８とケーブルブラケット９との中間部分に配置したり、テープ状のものを主回路ケーブル７の外周の、接続部８とケーブルブラケット９との中間部に巻き付けたりすることにより、コロナ検出体５を、主回路ケーブル７の外周の、接続部８とケーブルブラケット９との中間部に装着している。
【００２３】
主回路ケーブル７の表面が長期にわたり汚損、吸湿すると絶縁劣化により、接続部（充電部）８とケーブルブラケット  （接地金属部）  ９との間でコロナ４が発生するが、中間部分にコロナ検出体５を装着しているので、第１の実施形態の場合と同様に、目視にてコロナの発生の有無を判断することができる。
【００２４】
（第４の実施形態）
図４は、本発明の第４の実施形態に係る電気機器の構成を示す図である。
【００２５】
同図に示すように、本実施形態は、電気機器天井部の換気口１０の部分の全周を覆うようにフィルター状のコロナ検出体１１を組み込んだ構成としたものである。
【００２６】
電気機器内部の温まった空気１２は電気機器上部の換気口１０から外部に排出されるが、電気機器内部でコロナ放電４が発生した場合、生成して発生する窒素酸化物も同時に換気口１０から排出される。従って、換気口の全周を覆うようにフィルター状のコロナ検出体１１を装着しているので、第１の実施形態の場合と同様に、目視にてコロナの発生の有無を判断することができる。
【００２７】
（第５の実施形態）
図５は、本発明の第５の実施形態に係る電気機器の構成を示す図である。
【００２８】
同図に示すように、本実施形態は、電気機器の扉部分の換気口１３の全周を覆うようにフィルター状のコロナ検出体１１を組み込んだ構成としたものである。
【００２９】
電気機器内部の温まった空気１２は電気機器の扉部分の換気口１３から外部に排出されるが、電気機器内部でコロナ放電４が発生した場合、第４の実施形態で説明した内容と同様の現象となるが、本実施形態では扉部分の換気口１３にフィルター状のコロナ検出体１１を装着しているので、第１の実施形態の場合と同様に、目視にてコロナの発生の有無を判断することができる。
【００３０】
【発明の効果】
以上説明したように、本発明の電気機器によれば、組み込まれたコロナ検出装置は窒素酸化物と反応して発色する化学物質の色相の変化によりコロナを検知するので、電気機器を停止したり、電気機器に触れたりすることなく、色相の変化を確認するだけでコロナ発生の有無を確認することができる。またコロナ検出装置の形状を変えて適用することで、広範囲、多種の検出装置が製作可能である。
【図面の簡単な説明】
【図１】本発明の第１の実施形態に係る電気機器の構成図。
【図２】本発明の第２の実施形態に係る電気機器の構成図。
【図３】本発明の第３の実施形態に係る電気機器の構成図。
【図４】本発明の第４の実施形態に係る電気機器の構成図。
【図５】本発明の第５の実施形態に係る電気機器の構成図。
【符号の説明】
１…充電部
２…絶縁板
３…接地金属
４…コロナ
５…コロナ検出体
６…碍子
７…主回路ケーブル
８…接続部（充電部）
９…ケーブルブラケット（接地金属部）
１０…換気口
１１…フィルター状のコロナ検出体
１２…温まった空気
１３…扉部分の換気口
【図１】
2004271417.tif 000003
【図２】
2004271417.tif 000004
【図３】
2004271417.tif 000005
【図４】
2004271417.tif 000006
【図５】
2004271417.tif 000007